(57)【特許請求の範囲】
【請求項１】
必要に応じて各車輪の制動力を相互に独立に制御可能な制動装置を有する車両用制動力制御装置であって、左右の路面の摩擦係数が異なる走行路での走行中に一方の前輪に於いてアンチスキッド制御が開始されると、前記一方の前輪とは左右反対側の前輪の制動力の増大を抑制すると共に、左右の後輪のうち少なくとも前記一方の前輪とは左右反対側の後輪の制動力の増大を抑制する車両用制動力制御装置に於いて、前記一方の前輪とは左右反対側の前輪の制動力を低下させた後当該前輪の制動力の増大を抑制し、前記一方の前輪とは左右反対側の車輪の制動力の低下量は、前記一方の前輪が旋回外輪であるときには車両が直進状態にあるときの制動力の低下量よりも大きく、前記一方の前輪が旋回内輪であるときには車両が直進状態にあるときの制動力の低下量よりも小さいことを特徴とする車両用制動力制御装置。
【請求項２】
前記一方の前輪とは左右反対側の前輪の制動力の増大の抑制度合は、前記一方の前輪が旋回外輪であるときには車両が直進状態にあるときの抑制度合よりも高く、前記一方の前輪が旋回内輪であるときには車両が直進状態にあるときの抑制度合よりも低いことを特徴とする請求項１に記載の車両用制動力制御装置。
【請求項３】
左右の路面の摩擦係数が異なる走行路での走行中に一方の前輪に於いてアンチスキッド制御が開始されると、制動力の増大が抑制される後輪の制動力を低下させた後当該後輪の制動力の増大を抑制することを特徴とする請求項１又は２に記載の車両用制動力制御装置。
【請求項４】
左右の後輪の制動力を同一の値に制御することを特徴とする請求項１乃至３の何れか一つに記載の車両用制動力制御装置。
【請求項５】
アンチスキッド制御により前記一方の前輪の制動力が前記一方の前輪とは左右反対側の前輪の制動力よりも低い状態にて継続的に増大し、左右前輪の制動力の差の大きさが基準値以下になると、前記一方の前輪に於けるアンチスキッド制御が終了するまで前記一方の前輪の制動力の増大率と同一の増大率にて前記一方の前輪とは左右反対側の前輪の制動力を増大させることを特徴とする請求項１乃至４の何れか一つに記載の車両用制動力制御装置。
【請求項６】
前記一方の前輪に於けるアンチスキッド制御が終了すると、制動力の増大が抑制される後輪の制動力の増大の抑制を終了し、該後輪の制動力を予め設定された増大率にて増大させることを特徴とする請求項１乃至５の何れか一つに記載の車両用制動力制御装置。
【請求項７】
前記一方の前輪が旋回外輪であるときに於ける制動力の増大の抑制度合は、車両の旋回横力の大きさが大きいときには車両の旋回横力の大きさが小さいときに比して高いことを特徴とする請求項１乃至６の何れか一つに記載の車両用制動力制御装置。
【請求項８】
前記一方の前輪が旋回外輪であるときに於ける車輪の制動力の低下量は、車両の旋回横力の大きさが大きいときには車両の旋回横力の大きさが小さいときに比して大きいことを特徴とする請求項１に記載の車両用制動力制御装置。
【発明の詳細な説明】
【技術分野】
【０００１】
本発明は、車両の制動力制御装置に係り、更に詳細には必要に応じて各車輪の制動力を相互に独立に制御可能な制動装置を有する車両用制動力制御装置に係る。
【背景技術】
【０００２】
各車輪の制動力を相互に独立に制御可能な制動装置を有する自動車等の車両に於いては、車輪の制動力が過剰になって制動スリップが過大になると、当該車輪の制動力を増減することにより制動スリップを低下させるアンチスキッド制御が行われる。
【０００３】
特に車両が所謂またぎ路、即ち左右の路面の摩擦係数が異なる走行路（「スプリットμ路」という）を走行する場合には、路面の摩擦係数が低い側の車輪の制動スリップが過大になり易いため、一方の前輪に於いてのみアンチスキッド制御が実行される。そのため左右前輪の制動力に差が生じ、これに起因して車両に余分なヨーモーメントが作用する。
【０００４】
車両がスプリットμ路を走行する際のアンチスキッド制御に起因して車両に作用する余分なヨーモーメントを低減すべく、一方の前輪に於いてアンチスキッド制御が開始されると、左右前輪の制動力差の増大を抑制する技術が既に提案されている。例えば一方の前輪に於いてアンチスキッド制御が開始されると、左右反対側の前輪の制動力の増大を抑制する技術が既に知られている。また下記の特許文献１に記載されてい如く、車両がスプリットμ路を走行中であると判定されると、路面の摩擦係数が高い側の前輪の制動力の増大を抑制する技術が既に知られている。
【先行技術文献】
【特許文献】
【０００５】
【特許文献１】特開平９−２４９１１１号公報
【発明の概要】
【０００６】
〔発明が解決しようとする課題〕
上記公知の制動力制御装置によれば、車両がスプリットμ路を走行している状況に於いて制動が行われる場合には、路面の摩擦係数が高い側の前輪の制動力の増大を抑制することにより、左右前輪の制動力の差を低減することができる。よって左右前輪の制動力の差に起因して車両に作用する余分なヨーモーメントを低減することができる。
【０００７】
しかし従来の制動力制御装置に於いては、前輪の制動力しか制御されないので、制動による車両前方への荷重移動に起因して後輪が発生し得る力が低下する状況に於いて、後輪の制動力が運転者の制動操作に応じて増大される。そのため後輪の横力発生の余裕度合が低下し、後輪の横力が不足し易くなる。特にこのことは、旋回外側後輪が路面の摩擦係数が低い側の車輪である旋回制動時に顕著である。
【０００８】
本発明は、車両のスプリットμ路走行時に路面の摩擦係数が高い側の前輪の制動力のみが増大抑制される場合に於ける上述の如き問題に鑑みてなされたものである。そして本発明の主要な課題は、車両がスプリットμ路を走行する際の前一輪のアンチスキッド制御に起因して車両に作用する余分なヨーモーメントを低減しつつ、従来の制動力制御装置の場合に比して後輪の横力が不足する虞れを低減することである。
〔課題を解決するための手段及び発明の効果〕
【０００９】
上述の主要な課題は、本発明によれば、請求項１の構成、即ち必要に応じて各車輪の制動力を相互に独立に制御可能な制動装置を有する車両用制動力制御装置であって、左右の路面の摩擦係数が異なる走行路での走行中に一方の前輪に於いてアンチスキッド制御が開始されると、前記一方の前輪とは左右反対側の前輪の制動力の増大を抑制すると共に、左右の後輪のうち少なくとも前記一方の前輪とは左右反対側の後輪の制動力の増大を抑制する車両用制動力制御装置に於いて、前記一方の前輪とは左右反対側の前輪の制動力を低下させた後当該前輪の制動力の増大を抑制し、前記一方の前輪とは左右反対側の車輪の制動力の低下量は、前記一方の前輪が旋回外輪であるときには車両が直進状態にあるときの制動力の低下量よりも大きく、前記一方の前輪が旋回内輪であるときには車両が直進状態にあるときの制動力の低下量よりも小さいことを特徴とする車両用制動力制御装置によって達成される。
【００１０】
この構成によれば、左右の後輪のうち少なくとも一方の前輪とは左右反対側の後輪の制動力の増大が抑制されるので、当該後輪の横力発生の余裕度合を増大させ、これにより後輪の横力が不足する虞れを低減し、車両の走行安定性を向上させることができる。また一方の前輪とは左右反対側の前輪の制動力の増大が抑制されるので、左右の車輪の制動力差に起因して車両に作用する余分なヨーモーメントを低減することができ、この作用効果が後輪の制動力の増大の抑制によって損なわれることはない。
【００１１】
特に一方の前輪とは左右反対側の前輪の制動力が低下されない場合に比して、当該前輪の制動力を低くし、これにより左右の前輪の制動力差に起因して車両に作用する余分なヨーモーメントを効果的に低減することができる。
またこの構成によれば、車輪の制動力の低下量は、一方の前輪が旋回外輪であるときには車両が直進状態にあるときに比して大きいので、一方の前輪とは左右反対側の車輪の制動力を低くすることができる。よって一方の前輪が旋回外輪であるときに、旋回内輪に必要とされる旋回横力を確保することができなくなる虞れを効果的に低減することができる。また車輪の制動力の低下量は、一方の前輪が旋回内輪であるときには車両が直進状態にあるときに比して小さいので、一方の前輪とは左右反対側の車輪の制動力を高くすることができる。よって一方の前輪が旋回内輪であるときに、旋回外輪に必要とされる制動力を確保することができなくなる虞れを効果的に低減することができる。
【００１４】
また本発明によれば、上述の主要な課題を効果的に達成すべく、前記一方の前輪とは左右反対側の前輪の制動力の増大の抑制度合は、前記一方の前輪が旋回外輪であるときには車両が直進状態にあるときの抑制度合よりも高く、前記一方の前輪が旋回内輪であるときには車両が直進状態にあるときの抑制度合よりも低いよう構成される（請求項２の構成）。
【００１５】
一方の前輪が旋回外輪であるときには、旋回外輪側が路面の摩擦係数が低い（「低μ」と呼ぶ）側であり、旋回内輪側が路面の摩擦係数が高い（「高μ」と呼ぶ）側である。この状況に於いては、旋回外輪に於いて必要な旋回横力を確保することが困難であるので、旋回内輪に於いて制動力の増大を抑制して旋回横力を確保する必要がある。
上記の構成によれば、車輪の制動力の増大の抑制度合は、一方の前輪が旋回外輪であるときには車両が直進状態にあるときに比して高いので、一方の前輪とは左右反対側の車輪の制動力が高くなる虞れを低減することができる。よって一方の前輪が旋回外輪であるときに、旋回内輪に必要とされる旋回横力を確保することができなくなる虞れを効果的に低減することができる。また車輪の制動力の増大の抑制度合は一方の前輪が旋回内輪であるときには車両が直進状態にあるときの抑制度合よりも低いので、一方の前輪とは左右反対側の車輪の制動力の増大が過剰に抑制される虞れを低減することができる。よって一方の前輪が旋回内輪であるときに、旋回外輪に必要とされる制動力を確保することができなくなる虞れを効果的に低減することができる。
【００１６】
また本発明によれば、上述の主要な課題を効果的に達成すべく、左右の路面の摩擦係数が異なる走行路での走行中に一方の前輪に於いてアンチスキッド制御が開始されると、制動力の増大が抑制される後輪の制動力を低下させた後当該後輪の制動力の増大を抑制するよう構成される（請求項３の構成）。
【００１７】
この構成によれば、制動力の増大が抑制される後輪の制動力が低下されない場合に比して当該後輪の制動力を低くして当該後輪の横力発生の余裕度合を効果的に増大させることができる。よって左右の前後輪の制動力差に起因して車両に作用する余分なヨーモーメントを効果的に低減することができる。特に一方の前輪と左右同一の側の後輪の制動力も低下される場合には、当該後輪に於いてアンチスキッド制御が開始される可能性を効果的に低減することができる。
【００１８】
また本発明によれば、左右の後輪の制動力を同一の値に制御するよう構成される（請求項４の構成）。
【００１９】
この構成によれば、左右の後輪の制動力が同一の値に制御されるので、一方の前輪に於いてアンチスキッド制御が開始されると、左右の後輪の制動力の増大の抑制を同時に開始することができる。よって左右両方の後輪について制動力の増大の抑制を同時に開始し実行することによってそれらの後輪の横力発生の余裕度合を増大させ、これにより後輪の横力が不足する虞れを効果的に低減することができる。また一方の前輪と左右同一の側の後輪の制動力が他方の後輪の制動力よりも高い場合に比して、一方の前輪と左右同一の側の後輪に於いてアンチスキッド制御が開始される可能性を効果的に低減することができる。
【００２０】
また本発明によれば、上述の主要な課題を効果的に達成すべく、アンチスキッド制御により前記一方の前輪の制動力が前記一方の前輪とは左右反対側の前輪の制動力よりも低い状態にて継続的に増大し、左右前輪の制動力の差の大きさが基準値以下になると、前記一方の前輪に於けるアンチスキッド制御が終了するまで前記一方の前輪の制動力の増大率と同一の増大率にて前記一方の前輪とは左右反対側の前輪の制動力を増大させるよう構成される（請求項５の構成）。
【００２１】
この構成によれば、左右前輪の制動力の差の大きさが基準値以下になると、一方の前輪に於けるアンチスキッド制御が終了するまで一方の前輪の制動力の増大率と同一の増大率にて一方の前輪とは左右反対側の前輪の制動力が増大される。従って車両の減速度の回復が遅れること及び左右前輪の制動力の差の大きさが基準値以下になる前の左右輪の制動力差に起因して車両に作用するヨーモーメントとは逆方向の余分なヨーモーメントが車両に作用することを防止することができる。
【００２２】
また本発明によれば、上述の主要な課題を効果的に達成すべく、前記一方の前輪に於けるアンチスキッド制御が終了すると、制動力の増大が抑制される後輪の制動力の増大の抑制を終了し、該後輪の制動力を予め設定された増大率にて増大させるよう構成される（請求項６の構成）。
【００２３】
この構成によれば、一方の前輪に於けるアンチスキッド制御が終了しても、後輪の制動力の増大の抑制が継続される場合に比して、後輪の制動力の増大の抑制が不必要に行われることを確実に防止することができる。また後輪の制動力の増大の抑制を早期に終了させ、予め設定された増大率にて後輪の制動力を増大させることができるので、車両の減速度を早期に回復させることができる。
【００２９】
また本発明によれば、上述の主要な課題を効果的に達成すべく、前記一方の前輪が旋回外輪であるときに於ける制動力の増大の抑制度合は、車両の旋回横力の大きさが大きいときには車両の旋回横力の大きさが小さいときに比して高いよう構成される（請求項７の構成）。
【００３０】
この構成によれば、旋回に伴う車両横方向の荷重移動に応じて一方の前輪が旋回外輪であるときに於ける制動力の増大の抑制度合を可変設定することができる。よって車両の旋回横力の大きさが考慮されない場合に比して、旋回内輪に必要とされる旋回横力を確保することができなくなる虞れを一層効果的に低減することができる。
【００３１】
また本発明によれば、上述の主要な課題を効果的に達成すべく、前記一方の前輪が旋回外輪であるときに於ける車輪の制動力の低下量は、車両の旋回横力の大きさが大きいときには車両の旋回横力の大きさが小さいときに比して大きいよう構成される（請求項８の構成）。
【００３２】
この構成によれば、旋回に伴う車両横方向の荷重移動に応じて一方の前輪が旋回外輪であるときに於ける制動力の低下量を可変設定することができる。よって車両の旋回横力の大きさが考慮されない場合に比して、旋回内輪に必要とされる旋回横力を確保することができなくなる虞れを一層効果的に低減することができる。
〔課題解決手段の好ましい態様〕
【００３３】
本発明の一つの好ましい態様によれば、一方の前輪に於いてアンチスキッド制御が開始され、左右の路面の摩擦係数が異なる走行路に関し予め設定された条件が成立していると判定されると、一方の前輪とは左右反対側の前輪の制動力の増大を抑制すると共に、左右の後輪のうち少なくとも一方の前輪とは左右反対側の後輪の制動力の増大を抑制するよう構成される。
【００３４】
本発明の他の一つの好ましい態様によれば、前輪の制動力分担比は後輪の制動力分担比よりも高く設定されているよう構成される。
【００３５】
本発明の他の一つの好ましい態様によれば、後輪の制動力の増大の抑制度合は前輪の制動力の増大の抑制度合よりも高いよう構成される。
【００３６】
本発明の他の一つの好ましい態様によれば、後輪の制動力も低下される場合に於ける後輪の制動力の低下量は前輪の制動力の低下量よりも大きいよう構成される。
【００３７】
本発明の他の一つの好ましい態様によれば、制動力の増大が抑制される車輪の制動力の増大の抑制度合は、一方の前輪が旋回内輪であるときには一方の前輪が旋回内輪ではないときに比して低いよう構成される。
【００３８】
本発明の他の一つの好ましい態様によれば、制動力が低下される車輪の制動力の低下量は、一方の前輪が旋回内輪であるときには一方の前輪が旋回内輪ではないときに比して小さいよう構成される。
【００３９】
本発明の他の一つの好ましい態様によれば、一方の前輪が旋回内輪であるときに於ける制動力の増大の抑制度合は、車両の旋回横力の大きさが大きいときには車両の旋回横力の大きさが小さいときに比して低いよう構成される。
【００４０】
本発明の他の一つの好ましい態様によれば、一方の前輪が旋回内輪であるときに於ける車輪の制動力の低下量は、車両の旋回横力の大きさが大きいときには車両の旋回横力の大きさが小さいときに比して小さいよう構成される。
【図面の簡単な説明】
【００４１】
【図１】本発明による車両用制動力制御装置の一つの実施形態を示す概略構成図である。
【図２】実施形態に於けるアンチスキッド制御時の制動圧の増圧抑制制御のメインルーチンを示すフローチャートである。
【図３】図２に示された制動圧の増圧抑制制御ルーチンのステップ５００に於けるサブルーチンの前半を示すフローチャートである。
【図４】図２に示された制動圧の増圧抑制制御ルーチンのステップ５００に於けるサブルーチンの後半を示すフローチャートである。
【図５】図２に示された制動圧の増圧抑制制御ルーチンのステップ７００に於けるサブルーチンの前半を示すフローチャートである。
【図６】図２に示された制動圧の増圧抑制制御ルーチンのステップ７００に於けるサブルーチンの後半を示すフローチャートである。
【図７】車両の横加速度Ｇyの絶対値と目標減圧量Ｐdf、Ｐdrとの間の関係を示すグラフである。
【図８】推定車体速度Ｖbと目標減圧量の補正量ΔＰdf、ΔＰdrとの間の関係を示すグラフである。
【図９】車両の横加速度Ｇyの絶対値と目標増圧抑制勾配ΔＰif、ΔＰirとの間の関係を示すグラフである。
【図１０】左側が低μで右側が高μであるスプリットμ路を車両が直進走行している状況に於いて制動が行われる場合を示す説明図である。
【図１１】図１０の場合について左右前輪の制動圧Ｐfl、Ｐfr及び左右後輪の制動圧Ｐrl、Ｐrrの変化の例を示すグラフである。
【図１２】左側が低μで右側が高μであるスプリットμ路を車両が左旋回している状況に於いて制動が行われる場合を示す説明図である。
【図１３】図１２の場合について左右前輪の制動圧Ｐfl、Ｐfr及び左右後輪の制動圧Ｐrl、Ｐrrの変化の例を示すグラフである。
【図１４】左側が低μで右側が高μであるスプリットμ路を車両が右旋回している状況に於いて制動が行われる場合を示す説明図である。
【図１５】図１４の場合について左右前輪の制動圧Ｐfl、Ｐfr及び左右後輪の制動圧Ｐrl、Ｐrrの変化の例を示すグラフである。
【図１６】アンチスキッド制御側の前輪の制動圧が継続的に増加する場合について左右前輪の制動圧Ｐfl、Ｐfrの変化の例を示すグラフである。
【図１７】前輪のアンチスキッド制御が終了する場合について左右前輪の制動圧Ｐfl、Ｐfr及び左右後輪の制動圧Ｐrl、Ｐrrの変化の例を示すグラフである。
【図１８】第一の修正例に於いて左側が低μで右側が高μであるスプリットμ路を車両が直進走行している状況に於いて制動が行われる場合について左右前輪の制動圧Ｐfl、Ｐfr及び左右後輪の制動圧Ｐrl、Ｐrrの変化の例を示すグラフである。
【図１９】第二の修正例に於いて左側が低μで右側が高μであるスプリットμ路を車両が直進走行している状況に於いて制動が行われる場合について左右前輪の制動圧Ｐfl、Ｐfr及び左右後輪の制動圧Ｐrl、Ｐrrの変化の例を示すグラフである。
【図２０】第三の修正例に於いて左側が低μで右側が高μであるスプリットμ路を車両が直進走行している状況に於いて制動が行われる場合について左右前輪の制動圧Ｐfl、Ｐfr及び左右後輪の制動圧Ｐrl、Ｐrrの変化の例を示すグラフである。
【発明を実施するための形態】
【００４２】
以下に添付の図を参照しつつ、本発明を好ましい実施形態及び修正例について詳細に説明する。
【００４３】
図１は本発明による車両用制動力制御装置の一つの実施形態を示す概略構成図である。
【００４４】
図１に於いて、１００は車両１０の制動力制御装置を全体的に示している。車両１０は左右の前輪１２FL、１２FR及び左右の後輪１２RL、１２RRを有している。操舵輪である左右の前輪１２FL及び１２FRは運転者によるステアリングホイール１４の転舵に応答して駆動されるラック・アンド・ピニオン式のパワーステアリング装置１６によりタイロッド１８L及び１８Rを介して操舵される。
【００４５】
前輪１２FL、１２FR及び後輪１２RL、１２RRの制動力はそれぞれホイールシリンダ２４FL、２４FR、２４RL、２４RR内の圧力Ｐi（ｉ＝fl、fr、rl、rr）、即ち各車輪の制動圧が制御されることによって制御される。各車輪の制動圧は制動装置１１０のブレーキアクチュエータとしての油圧回路２０により制御される。図には示されていないが、油圧回路２０はオイルリザーバ、オイルポンプ、種々の弁装置等を含んでいる。油圧回路２０は運転者によるブレーキペダル２６の踏み込み操作により駆動されるマスタシリンダ２８内の圧力、即ちマスタシリンダ圧力Ｐm等に基づいて電子制御装置３０によって制御される。
【００４６】
尚車両の静止状態に於ける前輪１２FL、１２FRの接地荷重は後輪１２RL、１２RRの接地荷重よりも高い。また前輪１２FL、１２FRの制動力分担比は後輪１２RL、１２RRの制動力分担比よりも高く、よって各車輪の制動圧が同一であっても、前輪１２FL、１２FRの制動力は後輪１２RL、１２RRの制動力よりも高い。
【００４７】
車輪１２FL〜１２RRにはそれぞれ対応する車輪速度Ｖwi（ｉ＝fl、fr、rl、rr）を検出する車輪速度センサ３２FR〜３２RL及び制動圧Ｐiを検出する圧力センサ３４FR〜３４RLが設けられている。マスタシリンダ２８にはマスタシリンダ圧力Ｐmを検出する圧力センサ３６が設けられている。尚各車輪の制動圧Ｐiは油圧回路２０の種々の弁装置の作動に基づいて推定されてもよい。
【００４８】
また車両１０には車両の前後加速度Ｇxを検出する前後加速度センサ３８及び車両の横加速度Ｇyを検出する横加速度センサ４０が設けられている。各センサにより検出された値を示す信号は電子制御装置３０に入力される。尚前後加速度センサ３８は車両の加速時に検出される値を正として前後加速度Ｇxを検出し、横加速度センサ４０は車両の左旋回時に検出される値を正として横加速度Ｇyを検出する。
【００４９】
尚図には詳細に示されていないが、電子制御装置３０は例えばＣＰＵとＲＯＭとＲＡＭとバッファメモリと入出力ポート装置とを有し、これらが双方向性のコモンバスにより互いに接続された一般的な構成のマイクロコンピュータを含んでいる。
【００５０】
電子制御装置３０は、各車輪速度Ｖwiに基づき当技術分野に於いて公知の要領にて車体速度Ｖbを推定すると共に、各車輪について推定車体速度Ｖbと車輪速度Ｖwiとの偏差として制動スリップ量ＳＬi（ｉ＝fl、fr、rl、rr）を演算する。そして電子制御装置３０は、制動スリップ量ＳＬiが予め設定された閾値ＳＬo以上であるときには、当該車輪の制動圧を増減制御することにより制動スリップ量を低減するアンチスキッド制御を行う。
【００５１】
尚本願に於いては、左右前輪のうちアンチスキッド制御が行われている車輪の側を「アンチスキッド制御側」と呼称し、アンチスキッド制御が行われていない車輪の側を「非アンチスキッド制御側」と呼称する。またアンチスキッド制御を必要に応じて「ＡＢＳ制御」と略称する。
【００５２】
また電子制御装置３０は後に詳細に説明する如く図２に示されたフローチャートに従ってアンチスキッド制御に関連する各車輪の制動力の制御を行う。特に電子制御装置３０は車両がスプリットμ路での制動により左右前輪の一方についてアンチスキッド制御が開始される状況であるか否かを判定する。そして電子制御装置３０は、車両がスプリットμ路での制動により左右前輪の一方についてアンチスキッド制御が開始される状況であると判定したときには、アンチスキッド制御が行われている車輪とは左右反対側の前後輪について制動圧の増圧抑制制御を行う。
【００５３】
次に図２に示されたフローチャートを参照して実施形態に於けるアンチスキッド制御時の制動圧の増圧抑制制御のメインルーチンについて説明する。尚図２に示されたフローチャートによる制御は、図には示されていないイグニッションスイッチの閉成により開始され、所定の時間毎に繰返し実行される。
【００５４】
まずステップ５０に於いては何れかの後輪についてアンチスキッド制御が行われているか否かの判別が行われ、肯定判別が行われたときには制御はステップ２５０へ進み、否定判別が行われたときには制御はステップ１００へ進む。
【００５５】
ステップ１００に於いてはフラグＦが１であるか否かの判別、即ち制動圧の増圧抑制制御が実行中であるか否かの判別が行われ、肯定判別が行われたときには制御はステップ４００へ進み、否定判別が行われたときには制御はステップ１５０へ進む。
【００５６】
ステップ１５０に於いては何れかの前輪についてアンチスキッド制御が開始されたか否かの判別が行われ、否定判別が行われたときには制御はステップ２５０へ進み、肯定判別が行われたときには制御はステップ２００へ進む。
【００５７】
ステップ２００に於いては走行路がスプリットμ路であるか否かの判別が行われる。そして否定判別が行われたときにはステップ２５０に於いてフラグＦが０にリセットされ、しかる後制御はステップ３００へ進み、肯定判別が行われたときにはステップ３５０に於いてフラグＦが１にセットされ、しかる後制御はステップ４００へ進む。
【００５８】
この場合下記の条件Ａ1〜Ａ4の全てが成立するときに走行路がスプリットμ路であると判定されてよい。尚、走行路がスプリットμ路であるか否かの判定は下記の条件に限定されるものではない。
Ａ1：車両の前後加速度Ｇxが基準値Ｇxb（負の定数）未満である。
Ａ2：アンチスキッド制御が行われている前輪の車輪加速度Ｖwdfaが基準値Ｖwdfb（負の定数）未満である。
Ａ3：左右前輪の車輪加速度の偏差の絶対値｜Ｖwdfl−Ｖwdfr ｜が基準値ΔＶwdf（正の定数）未満である。
Ａ4：アンチスキッド制御が行われていない前輪の車輪速度をＶwfnaとして、推定車体速度Ｖbと車輪速度Ｖwfnaとの偏差が基準値ΔＶwf（正の定数）以上である。
【００５９】
ステップ３００に於いては各車輪について個別にアンチスキッド制御の要否が判定され、アンチスキッド制御が必要であるときには当該車輪についてアンチスキッド制御が行われる。
【００６０】
ステップ４００に於いては車両の横加速度Ｇyの絶対値が基準値Ｇy0（正の定数）未満であるか否かの判別が行われ、肯定判別が行われたときには制御はステップ５００へ進み、否定判別が行われたときには制御はステップ４５０へ進む。
【００６１】
ステップ４５０に於いては車両が特定の旋回状態にあるか否かの判別が行われ、肯定判別が行われたときには制御はステップ７００へ進み、否定判別が行われたときには制御はステップ５００へ進む。
【００６２】
この場合下記の条件Ｂ1及びＢ2が成立するときに車両が特定の旋回状態にあると判定されてよい。
Ｂ1：推定車体速度Ｖbが基準値Ｖbt（正の定数）よりも高い。
Ｂ2：アンチスキッド制御が行われている前輪は旋回外輪である。
【００６３】
ステップ５００に於いては図３及び図４に示されたフローチャートに従って、非アンチスキッド制御側の前輪の制動圧が一旦減圧された後その制動圧の増圧が抑制されると共に、左右後輪の制動圧が減圧されることなくそれらの制動圧の増圧が抑制される。
【００６４】
ステップ７００に於いては図５及び図６に示されたフローチャートに従って、非アンチスキッド制御側の前輪及び左右後輪の制動圧が一旦減圧され、しかる後それらの制動圧の増圧が抑制される。
【００６５】
次に図３及び図４に示されたフローチャートを参照して車両が実質的に直進状態にある場合又は旋回しているが特定の旋回状態にない場合に於ける非アンチスキッド制御側の前輪の制動圧の減圧制御及び前後輪の制動圧の増圧抑制制御について説明する。
【００６６】
ステップ５１０に於いてはステップ５００による制御がフラグＦが０から１へ変化した後の最初の制御であるか否かの判別が行われ、否定判別が行われたときには制御はステップ５４０へ進み、肯定判別が行われたときには制御はステップ５２０へ進む。
【００６７】
ステップ５２０に於いては車両の横加速度Ｇyの絶対値に基づいて図７に於いて太線にて示されたグラフに対応するマップより前輪の目標減圧量Ｐdfが演算される。この場合車両の横加速度Ｇyの絶対値は基準値Ｇy0よりも小さいので、目標減圧量Ｐdfは横加速度Ｇyの絶対値の大きさに関係なく一定の標準値Ｐdf0に演算される。
【００６８】
尚標準値Ｐdf0は左右前輪の一方についてアンチスキッド制御が開始されても後輪の制動力の増大が抑制されない従来の制動力制御装置の場合に於ける非アンチスキッド制御側の前輪の制動圧の標準的な減圧量よりも小さい値である。
【００６９】
ステップ５３０に於いては車速としての推定車体速度Ｖbに基づいて図８に於いて太線にて示されたグラフに対応するマップより前輪の目標減圧量の補正量ΔＰdfが演算される。そして前輪の目標減圧量Ｐdfに補正量ΔＰdfが加算されることにより前輪の目標減圧量Ｐdfが補正される。この場合目標減圧量の補正量ΔＰdfは推定車体速度Ｖbが基準値Ｖb0（正の定数）以下であるときには０に演算され、推定車体速度Ｖbが基準値Ｖb0よりも高いときには推定車体速度Ｖbが高いほど大きい値になるよう演算される。
【００７０】
ステップ５４０に於いては補正後の目標減圧量Ｐdfに基づく前輪の制動圧の減圧が完了したか否かの判別が行われる。そして否定判別が行われたときにはステップ５５０に於いて予め設定された減圧勾配にて前輪の制動圧の減圧が開始又は継続され、肯定判別が行われたときには制御はステップ５６０へ進む。
【００７１】
ステップ５６０に於いては車両の横加速度Ｇyの絶対値に基づいて図９に於いて太線にて示されたグラフに対応するマップより前輪の目標増圧抑制勾配ΔＰifが演算される。この場合車両の横加速度Ｇyの絶対値は基準値Ｇy0よりも小さいので、目標増圧抑制勾配ΔＰifは横加速度Ｇyの絶対値の大きさに関係なく一定の標準値ΔＰif0に演算される。
【００７２】
尚標準値ΔＰif0は左右前輪の一方についてアンチスキッド制御が開始されても後輪の制動力の増大が抑制されない従来の制動力制御装置の場合に於ける非アンチスキッド制御側の前輪の制動圧の標準的な増圧抑制勾配よりも大きい値である。
【００７３】
ステップ５５０又は５６０が完了すると制御はステップ５９０へ進み、ステップ５９０に於いては車両の横加速度Ｇyの絶対値に基づいて図９に於いて細線にて示されたグラフに対応するマップより後輪の目標増圧抑制勾配ΔＰirが演算される。この場合車両の横加速度Ｇyの絶対値は基準値Ｇy0よりも小さいので、目標増圧抑制勾配ΔＰirは横加速度Ｇyの絶対値の大きさに関係なく一定の標準値ΔＰir0に演算される。尚、ΔＰir0はΔＰif0よりも小さい。
【００７４】
ステップ６１０に於いてはアンチスキッド制御側の前輪の制動圧が継続的に増加しているか否かの判別が行われ、否定判別が行われたときには図２に示されたフローチャートによる制御が一旦終了され、肯定判別が行われたときには制御はステップ６２０へ進む。この場合アンチスキッド制御側の前輪の制動圧が予め設定されたサイクル以上連続して増加した場合に、アンチスキッド制御側の前輪の制動圧が継続的に増加していると判定されてよい。
【００７５】
ステップ６２０に於いては非アンチスキッド制御側（高μ側）の前輪の制動圧Ｐfmhとアンチスキッド制御側（低μ側）の前輪の制動圧Ｐfmlとの偏差の絶対値が基準値Ｐ0（正の定数）よりも小さいか否かの判別が行われる。そして肯定判別が行われたときには制御はステップ６４０へ進み、否定判別が行われたときには制御はステップ６３０へ進む。
【００７６】
ステップ６３０に於いては非アンチスキッド制御側の前輪の制動圧の増圧勾配が前輪の目標増圧抑制勾配ΔＰifを越えないよう、非アンチスキッド制御側の前輪の制動圧が制御される。
【００７７】
ステップ６４０に於いては非アンチスキッド制御側の前輪の制動圧の増圧勾配がアンチスキッド制御側の前輪の制動圧の増圧勾配と同一になるよう、非アンチスキッド制御側の前輪の制動圧が制御される。
【００７８】
ステップ６５０に於いてはアンチスキッド制御側の前輪のアンチスキッド制御が終了したか否かの判別が行われる。そして肯定判別が行われたときには制御はステップ６７０へ進み、否定判別が行われたときには制御はステップ６６０へ進む。
【００７９】
ステップ６６０に於いては非アンチスキッド制御側の前輪の制動圧の増圧勾配が前輪の目標増圧抑制勾配ΔＰifを越えないよう、非アンチスキッド制御側の前輪の制動圧が制御される。また左右後輪の制動圧の増圧勾配が後輪の目標増圧抑制勾配ΔＰirを越えないよう、左右後輪の制動圧が同一の値に制御される。
【００８０】
ステップ６７０に於いては非アンチスキッド制御側の前輪の制動圧の増圧勾配がアンチスキッド制御側の前輪の制動圧の増圧勾配と同一になるように行われていた非アンチスキッド制御側の前輪の制動圧の制御が終了される。
【００８１】
ステップ６８０に於いては左右後輪の制動圧の増圧勾配が後輪の目標増圧抑制勾配ΔＰirを越えないよう行われていた左右後輪の制動圧の制御が終了される。そして目標増圧抑制勾配ΔＰirよりも高い予め設定された増圧勾配にて所定の時間に亘り左右後輪の制動圧が増圧される。
【００８２】
ステップ６９０に於いてはフラグＦが０にリセットされる。なおステップ６６０又は６９０が完了すると、ステップ５０へ戻る。
【００８３】
次に図５及び図６に示されたフローチャートを参照して車両が特定の旋回状態にある場合に於ける非アンチスキッド制御側の前輪の制動圧の減圧制御及び前後輪の制動圧の増圧抑制制御について説明する。
【００８４】
ステップ７１０に於いてはステップ５１０と同様の判別が行われる。即ちステップ７００による制御がフラグＦが０から１へ変化した後の最初の制御であるか否かの判別が行われ、否定判別が行われたときには制御はステップ７４０へ進み、肯定判別が行われたときには制御はステップ７２０へ進む。
【００８５】
ステップ７２０に於いては車両の横加速度Ｇyの絶対値に基づいて図７に於いてそれぞれ太線及び細線にて示されたグラフに対応するマップより前輪の目標減圧量Ｐdf及び後輪の目標減圧量Ｐdrが演算される。この場合旋回外輪側が路面の摩擦係数μが低い側であるときには、目標減圧量Ｐdf及びＰdrは標準値Ｐdf0以上で横加速度Ｇyの絶対値の大きいほど大きい値に演算される。逆に旋回内輪側が路面の摩擦係数μが低い側であるときには、目標減圧量Ｐdf及びＰdrは標準値Ｐdf0以下で横加速度Ｇyの絶対値の大きいほど小さい値に演算され、前後加速度Ｇyの絶対値の大きさが非常に大きい状況に於いては０に演算される。また何れの場合にも後輪の目標減圧量Ｐdrは０である場合を除き前輪の目標減圧量Ｐdfよりも大きい値に演算される。
【００８６】
ステップ７３０に於いては車速としての推定車体速度Ｖbに基づいて図８に於いてそれぞれ太線及び細線にて示されたグラフに対応するマップより前輪及び後輪の目標減圧量の補正量ΔＰdf及びΔＰdrが演算される。そして前輪の目標減圧量Ｐdfに補正量ΔＰdfが加算されることにより前輪の目標減圧量Ｐdfが補正されると共に、後輪の目標減圧量Ｐdrに補正量ΔＰdrが加算されることにより後輪の目標減圧量Ｐdrが補正される。この場合目標減圧量の補正量ΔＰdf及びΔＰdrは推定車体速度Ｖbが基準値Ｖb0以下であるときには０に演算され、推定車体速度Ｖbが基準値Ｖb0よりも高いときには車推定車体速度Ｖbが高いほど大きい値になるよう演算される。また推定車体速度Ｖbが基準値Ｖb0よりも高いときには後輪の目標減圧量の補正量ΔＰdrは前輪の目標減圧量の補正量ΔＰdfよりも大きい。
【００８７】
ステップ７４０に於いては補正後の目標減圧量Ｐdfに基づく前輪の制動圧の減圧が完了したか否かの判別が行われる。そして否定判別が行われたときには制御はステップ７５０に於いて予め設定された減圧勾配にて前輪の制動圧の減圧が開始又は継続され、肯定判別が行われたときには制御はステップ７６０へ進む。
【００８８】
ステップ７６０に於いては車両の横加速度Ｇyの絶対値に基づいて図９に於いて太線にて示されたグラフに対応するマップより前輪の目標増圧抑制勾配ΔＰifが演算される。この場合旋回外輪側が低μ側であるときには、目標増圧抑制勾配ΔＰifは標準値ΔＰif0以下で横加速度Ｇyの絶対値が大きいほど小さい値に演算される。逆に旋回内輪側が低μ側であるときには、目標増圧抑制勾配ΔＰifは標準値ΔＰif0以上で横加速度Ｇyの絶対値が大きいほど大きい値に演算される。
【００８９】
ステップ７７０に於いては補正後の目標減圧量Ｐdrに基づく後輪の制動圧の減圧が完了したか否かの判別が行われる。そして否定判別が行われたときには制御はステップ７８０に於いて予め設定された減圧勾配にて後輪の制動圧の減圧が開始又は継続され、肯定判別が行われたときには制御はステップ７９０へ進む。
【００９０】
ステップ７９０に於いては車両の横加速度Ｇyの絶対値に基づいて図９に於いて細線にて示されたグラフに対応するマップより後輪の目標増圧抑制勾配ΔＰirが演算される。この場合旋回外輪側が低μ側であるときには、目標増圧抑制勾配ΔＰirは標準値ΔＰir0以下で横加速度Ｇyの絶対値が大きいほど小さい値に演算される。逆に旋回内輪側が低μ側であるときには、目標増圧抑制勾配ΔＰirは標準値ΔＰir0以上で横加速度Ｇyの絶対値が大きいほど大きい値に演算される。また何れの場合にも後輪の目標増圧抑制勾配ΔＰirは前輪の目標増圧抑制勾配ΔＰifよりも小さい値に演算される。
【００９１】
ステップ７８０又は７９０が完了すると、制御はステップ８１０へ進み、ステップ８１０乃至８９０はそれぞれ上述のステップ６１０乃至６９０と同様に実行される。そしてステップ８６０又は８９０が完了すると、ステップ５０へ戻る。
【００９２】
次に車両の様々な走行状態について上記実施形態の車両用制動力制御装置の作動について説明する。
【００９３】
（１）何れの車輪に於いてもアンチスキッド制御が行われていない場合
ステップ５０、１００．１５０に於いて否定判別が行われ、ステップ３００に於いて各車輪毎にアンチスキッド制御の要否が判定され、必要に応じてアンチスキッド制御が行われる。
【００９４】
（２）前輪及び後輪に於いてアンチスキッド制御が行われている場合
前一輪に於いてアンチスキッド制御が行われているが、後輪に於いてもアンチスキッド制御が行われている場合には、ステップ５０に於いて肯定判別が行われる。よって上記（１）の場合と同様にステップ３００に於いて各車輪毎にアンチスキッド制御の要否が判定され、必要に応じてアンチスキッド制御が行われる。
【００９５】
（３）前一輪に於いてアンチスキッド制御が行われているが、走行路がスプリットμ路ではない場合
ステップ５０及び１００に於いて否定判別が行われ、ステップ１５０に於いて肯定判別が行われるが、ステップ２００に於いて否定判別が行われる。よって上記（１）の場合と同様にステップ３００に於いて各車輪毎にアンチスキッド制御の要否が判定され、必要に応じてアンチスキッド制御が行われる。
【００９６】
（４）一方の前輪に於いてアンチスキッド制御が開始され、走行路がスプリットμ路である場合
一方の前輪に於いてアンチスキッド制御が開始されると、ステップ５０及び１００に於いて否定判別が行われ、ステップ１５０及び２００に於いて肯定判別が行われ、ステップ３５０に於いてフラグＦが１にセットされる。そして次回からはステップ１００に於いて肯定判別が行われる。
【００９７】
（４−１）車両が実質的に直進状態にある場合
車両が実質的に直進状態にある場合には、車両の横加速度Ｇyの大きさが小さいので、ステップ４００に於いて肯定判別が行われる。よってステップ５００、即ちステップ５１０〜６９０が実行されることにより、非アンチスキッド制御側の前輪の制動圧が一旦減圧された後その制動圧の増圧が抑制されると共に、左右後輪の制動圧が減圧されることなくそれらの制動圧の増圧が抑制される。
【００９８】
図１０は左側が低μで右側が高μであるスプリットμ路を車両が直進走行している状況に於いて制動が行われる場合を示している。尚図１０に於いて、Ｔf及びＴrはそれぞれ前輪及び後輪のトレッドを示し、Ｌｆ及びＬｒはそれぞれ車両の重心Ｇと前輪及び後輪の車軸との間の車両前後方向の距離を示している。また各車輪についての仮想線の円は各車輪が発生可能な力の大きさを表す所謂摩擦円であり、Ｍyは左右輪の制動力差に起因して重心Ｇの周りに作用するヨーモーメントである。これらのことは後述の図１２及び図１４についても同様である。
【００９９】
車両が実質的に直進状態にある場合には、図１０に示されている如く各車輪に横力は実質的に発生しない。よって車輪の横力を確保するために車輪の制動力を低減する必要はない。
【０１００】
従って左前輪に於いてアンチスキッド制御が開始された直後に於ける非アンチスキッド制御側の前輪、即ち右前輪の制動圧の目標減圧量Ｐdfは、図７に示されている如く標準値Ｐdf0である。よって図１１の上段に示されている如く、左前輪に於いてアンチスキッド制御が開始された直後に於ける右前輪の制動圧Ｐfrの減圧量は、後輪の制動力の増大が抑制されない従来の制動力制御装置の場合（仮想線）よりも小さい。
【０１０１】
また右前輪の制動圧の増圧抑制勾配ΔＰifは、図９に示されている如く標準値ΔＰif0である。前述の如く、標準値ΔＰif0は後輪の制動力の増大が抑制されない従来の制動力制御装置の場合に於ける標準的な増圧抑制勾配よりも大きい値である。よって図１１の上段に示されている如く、右前輪の制動圧Ｐfrの減圧が完了した後の右前輪の制動圧の増圧勾配は従来の制動力制御装置の場合よりも大きい。
【０１０２】
また左右後輪の制動圧の増圧抑制勾配ΔＰirは、図９に示されている如く標準値ΔＰir0であり、標準値ΔＰir0は標準値ΔＰif0よりも小さい値である。よって図１１の上段と下段との比較より解る如く、左右後輪の制動圧Ｐrl、Ｐrrの増圧勾配は右前輪の制動圧Ｐfrの増圧勾配よりも小さい。
【０１０３】
（４−２）車両が旋回しているが特定の旋回状態にはない場合
この場合には、車両の横加速度Ｇyの大きさが大きいので、ステップ４００に於いて肯定判別が行われるが、ステップ４５０に於いて否定判別が行われる。よって上記（４−１）の場合と同様にステップ５００が実行されることにより、非アンチスキッド制御側の前輪の制動圧が一旦減圧された後その制動圧の増圧が抑制されると共に、左右後輪の制動圧が減圧されることなくそれらの制動圧の増圧が抑制される。尚車両が旋回しているが特定の旋回状態にはない場合とは、車両が低い車速にて旋回している場合又は旋回内輪側が低μで旋回外輪側が高μの場合である。
【０１０４】
図１２は左側が低μで右側が高μであるスプリットμ路を車両が左旋回している状況に於いて制動が行われる場合を示している。この場合には車両前後方向に加えて車両横方向にも荷重移動が生じるので、図１０の場合に比して旋回外輪である右前後輪の摩擦円は大きくなるが、旋回内輪である左前後輪の摩擦円は小さくなる。尚図１２に於いて、Ｆyは車両の旋回に起因して重心Ｇの周りに作用する遠心力であり、このことは後述の図１５についても同様である。
【０１０５】
車両が旋回する場合には、各車輪に横力が発生しなければならない。また制動力と横力との合力が摩擦円を越えることはできないので、旋回に必要な車輪の横力を確保するためには、必要に応じて制動力が抑制されなければならない。
【０１０６】
車両が図１２に示された旋回状態にある場合には、旋回外輪側が高μであるので、旋回外輪に於いて必要な横力を発生させることができる。よって車輪の横力を確保するために車輪の制動力を低減する必要はない。
【０１０７】
従って左前輪に於いてアンチスキッド制御が開始された直後に於ける右前輪の制動圧の目標減圧量Ｐdfは、図７に示されている如く標準値Ｐdf0よりも小さい値である。よって図１３の上段に示されている如く、左前輪に於いてアンチスキッド制御が開始された直後に於ける右前輪の制動圧の減圧量は、上記（４−１）の場合よりも小さい。
【０１０８】
また車両が図１２に示された旋回状態にある場合には、旋回外輪側が高μであるので、非アンチスキッド制御側の前輪、即ち右前輪の目標増圧抑制勾配ΔＰifは図９に示されている如くΔＰif0よりも大きい値である。よって図１３の上段に示されている如く、右前輪の制動圧の減圧が完了した後の右前輪の制動圧の増圧勾配は上記（４−１）の場合よりも大きい。
【０１０９】
また左右後輪の制動圧の増圧抑制勾配ΔＰirは、図９に示されている如く標準値ΔＰir0よりも大きい値である。よって図１１の下段と図１３の下段との比較より解る如く、左右後輪の制動圧の増圧勾配は上記（４−１）の場合よりも大きい。
【０１１０】
尚、従来の制動力制御装置に於いて、何れかの後輪についてアンチスキッド制御が開始されると、左右の後輪の制動力が低い方の制動力に制御される所謂ローセレクト制御が行われるとする。また図１１、図１３、図１５に示されている如く、時点ｔ1に於いて左前輪についてアンチスキッド制御が開始され、時点ｔ2に於いて左後輪についてアンチスキッド制御が開始されたとする。
【０１１１】
従来の制動力制御装置の場合には、アンチスキッド制御側の後輪についてアンチスキッド制御が実行されると、ローセレクト制御により左右の後輪の制動力が低い方の制動力に制御される。よって一方の前輪に於いてアンチスキッド制御が開始された直後に左右の後輪の制動力が一旦増大した後に低下することが避けられない。
【０１１２】
これに対し上述の実施形態によれば、上記（４−１）及び（４−２）の何れの場合にも、時点ｔ1に於いて左右後輪の制動圧の増圧の抑制が開始されるので、アンチスキッド制御側の後輪についてアンチスキッド制御が開始される虞れが低減される。よって一方の前輪に於いてアンチスキッド制御が開始された直後に左右の後輪の制動力が一旦増大した後に低下したり、一方の前輪に於いてアンチスキッド制御が開始された後も左右の後輪の制動力が高い増大勾配にて増大する虞れを低減することができる。また運転者の制動要求量が低下しない限り、左右の後輪の制動力が時点ｔ1に於ける制動力よりも低下することがないので、後輪の制動力の低下に起因する車両の減速度の低下を防止することができる。
【０１１３】
また従来の制動力制御装置の場合には、図１１、図１３、図１５の下段に於いて仮想線にて示されている如く、時点ｔ2以降にならないと後輪の制動力は低減されず、また時点ｔ2以降に於いても後輪の制動力の増大勾配は抑制されない。また左後輪に於いてアンチスキッド制御が行われなければ、後輪の制動力は低減されない。
【０１１４】
これに対し上述の実施形態によれば、上記（４−１）及び（４−２）の何れの場合にも、実質的に時点ｔ1より左右後輪の制動圧の増圧の抑制を開始し、後輪に於けるアンチスキッド制御の有無に関係なく左右後輪の制動力の増大を効果的に抑制することができる。
【０１１５】
従って上述の実施形態によれば、従来の制動力制御装置の場合に比して非アンチスキッド制御側の前輪の制動力を高くして車両の減速度の低下を抑制することができる。また従来の制動力制御装置の場合に比して一方の前輪に於いてアンチスキッド制御が開始された直後に於ける後輪の制動力を確実に低くすることができるので、アンチスキッド制御側の後輪についてアンチスキッド制御が開始される虞れを低減することができる。
【０１１６】
尚、非アンチスキッド制御側の後輪の制動力が一旦低下されることはないが、非アンチスキッド制御側の前輪の制動力は必ず一旦低下され、当該車輪の制動力の増大勾配が抑制される。従って左右輪の制動力差に起因して重心Ｇの周りに作用するヨーモーメントＭyを低減することができる。
【０１１７】
また図には示されていないが、左側が低μで右側が高μであるスプリットμ路を車両が右旋回している状況に於いて制動が行われる場合には、旋回内輪側が高μである。よって非アンチスキッド制御である右前輪の制動圧の目標減圧量Ｐdfは、図７に示されている如く標準値Ｐdf0よりも大きい値であり、目標増圧抑制勾配ΔＰifは図９に示されている如くΔＰif0よりも小さい値である。
【０１１８】
（４−３）車両が特定の旋回状態にある場合
車両が実質的に特定の旋回状態にある場合には、ステップ４００に於いて否定判別が行われるが、ステップ４５０に於いて肯定判別が行われる。よってステップ７００、即ちステップ７１０〜８９０が実行されることにより、非アンチスキッド制御側の前輪及び左右後輪の制動圧が一旦減圧され、しかる後それらの制動圧の増圧が抑制される。尚車両が特定の旋回状態にある場合とは、車速が高く且つ旋回外輪側が低μで旋回内輪側が高μの場合である。
【０１１９】
図１４は左側が低μで右側が高μであるスプリットμ路を車両が右旋回している状況に於いて制動が行われる場合を示している。この場合にも車両前後方向に加えて車両横方向にも荷重移動が生じるので、図１０の場合に比して旋回外輪である左前後輪の摩擦円は大きくなるが、旋回内輪である右前後輪の摩擦円は小さくなる。
【０１２０】
車両が図１４に示された特定の旋回状態にある場合には、旋回外輪側が低μであり、車両の横加速度Ｇyの絶対値は基準値Ｇy0よりも大きい。従って左前輪に於いてアンチスキッド制御が開始された直後に於ける右前輪の制動圧の目標減圧量Ｐdfは、図７に示されている如く標準値Ｐdf0よりも大きい値である。よって図１５の上段に示されている如く、左前輪に於いてアンチスキッド制御が開始された直後に於ける右前輪の制動圧の減圧量は、上記（４−１）の場合よりも大きい。
【０１２１】
また左右後輪の制動圧の目標減圧量Ｐdrは、図７に示されている如く標準値Ｐdr0よりも大きい値であり、車両の横加速度Ｇyの絶対値が大きいほど大きい。よって図１５の下段に示されている如く、左前輪に於いてアンチスキッド制御が開始された直後に左右後輪の制動圧が減圧され、その減圧量は車両の横加速度Ｇyの絶対値が大きいほど大きい。
【０１２２】
また車両が図１４に示された特定の旋回状態にある場合には、図９に示されている如く、右前輪の制動圧の目標増圧抑制勾配ΔＰifは標準値ΔＰif0よりも小さい値であり、左右後輪の制動圧の目標増圧抑制勾配ΔＰirは標準値ΔＰir0よりも小さい値である。よって図１５の上段に示されている如く、右前輪の制動圧の減圧が完了した後の右前輪の制動圧の増圧勾配は上記（４−１）の場合よりも小さい。また図１５の下段に示されている如く、左右後輪の制動圧の増圧勾配も上記（４−１）の場合よりも小さい。
【０１２３】
また左前輪に於いてアンチスキッド制御が開始された直後に左右後輪の制動圧が減圧されると共に、右前輪の制動圧の増圧勾配は上記（４−１）の場合よりも小さい。よって図１５の上段に示されている如く、左前輪に於いてアンチスキッド制御が開始された直後に於ける右前輪の制動圧の減圧量を従来の制動力制御装置の場合に比して小さくする共に、その後の制動圧を従来の制動力制御装置の場合に比して高くすることができる。従って従来の制動力制御装置の場合に比して非アンチスキッド制御側の前輪の制動力を高くして車両の減速度を高くすることができ、これにより従来の制動力制御装置の場合に比して車両の制動距離を短くすることができる。
【０１２４】
（４−４）後輪に於いてアンチスキッド制御が開始された場合
上記（４−１）〜（４−３）の何れの場合にも、後輪、特にアンチスキッド制御側の後輪に於いてアンチスキッド制御が開始されると、ステップ５０に於いて肯定判別が行われ、制動圧の増圧勾配抑制制御は終了する。よって後輪に於いてアンチスキッド制御が開始された後にも制動圧の増圧勾配抑制制御が不必要に継続されることはない。
【０１２５】
（４−５）アンチスキッド制御側の前輪の制動圧が継続的に増加する場合
アンチスキッド制御側の前輪に於いてアンチスキッド制御が行われている限り非アンチスキッド制御側の前輪の制動圧の増圧が抑制される場合には、非アンチスキッド制御側の前輪の制動圧の増圧の抑制が不必要に継続される場合がある。
【０１２６】
例えば図１６の仮想線は、上記（４−１）の場合について、左前輪のアンチスキッド制御により制動スリップ量ＳＬflが低下し、制動圧Ｐflが継続的に増加する場合にも、アンチスキッド制御が続く限り右前輪の制動圧Ｐfrの増圧が抑制される状況を示している。この場合には左前輪の制動圧Ｐflが右前輪の制動圧Ｐfrと実質的に同一になる時点ｔ3以降も右前輪の制動圧Ｐfrの増圧の抑制が継続される。従って右前輪の制動圧Ｐfrが不必要に低く制御されることに起因して車両の減速度の回復が遅れるだけでなく、ヨーモーメントＭyとは逆方向の余分なヨーモーメントが車両に作用してしまう。尚図１６に於いて、時点ｔ4は左前輪のアンチスキッド制御が終了する時点を示している。
【０１２７】
これに対し上述の実施形態によれば、図４のステップ６１０に於いて肯定判別が行われる。そして非アンチスキッド制御側である右前輪の制動圧Ｐfrとアンチスキッド制御側である左前輪の制動圧Ｐflとの偏差が基準値Ｐ0よりも小さくなると、ステップ６２０に於いて肯定判別が行われる。よってステップ６４０に於いて右前輪の制動圧Ｐfrが増圧抑制されることなく左前輪の制動圧Ｐflと同一の増圧勾配にて効率的に増圧される。
【０１２８】
よって図１６に於いて実線にて示されている如く、右前輪の制動圧Ｐfrは時点ｔ3以降は左前輪の制動圧Ｐflと同一の比較的高い勾配にて増大する。従って車両の減速度の回復が遅れること及びヨーモーメントＭyとは逆方向の余分なヨーモーメントが車両に作用することを防止することができる。
【０１２９】
（４−６）前輪のアンチスキッド制御が終了する場合
従来の制動力制御装置の場合には、前輪のアンチスキッド制御は後輪の状況に関係なく実行され、後輪のアンチスキッド制御は前輪の状況に関係なく実行される。従って上記（４−１）の場合について図１７に示されている如く、左前輪のアンチスキッド制御により左前輪の制動スリップ量ＳＬfrが低下し、時点ｔ4に於いてアンチスキッド制御が終了しても、後輪のアンチスキッド制御が継続される場合がある。そのため左右後輪の制動力の増大が抑制され、車両全体の制動力が不足することに起因して車両の減速度の回復が遅れる場合がある。
【０１３０】
これに対し上述の実施形態によれば、図４のステップ６５０に於いて肯定判別が行われる。そしてステップ６７０及び６８０に於いて左右前輪の制動圧が同一の目標増圧抑制勾配ΔＰifにて増圧抑制されることが終了されると共に、左右後輪の制動圧が目標増圧抑制勾配よりも高い予め設定された増圧勾配にて所定の時間に亘り増圧される。
【０１３１】
よって図１７に示されている如く、時点ｔ4に於いて左前輪のアンチスキッド制御が終了すると、時点ｔ4以降には左右後輪の制動圧が効率的に増圧され、これにより左右後輪の制動力が効率的に増大される。従って車両全体の制動力が不足することに起因して車両の減速度の回復が遅れることを効果的に防止することができる。
【０１３２】
尚、上述の（４−１）〜（４−６）の説明に於いては、スプリットμ路は左側が低μで右側が高μであるが、左側が高μ低μで右側が低μであるスプリットμ路を車両が（４−１）〜（４−６）の場合とは逆方向に旋回する場合にも、同様の作用効果が得られる。
【０１３３】
［第一の修正例］
上述の実施形態に於いては、目標減圧量の標準値Ｐdf0は一方の前輪についてアンチスキッド制御が開始されても後輪の制動力の増大が抑制されない従来の制動力制御装置の場合に於ける他方の前輪の制動圧の標準的な減圧量よりも小さい値である。
【０１３４】
しかし車両が実質的に直進状態にある場合について図１８に示されている如く、目標減圧量の標準値Ｐdf0は従来の制動力制御装置の場合に於ける前輪の制動圧の標準的な減圧量と同一であってもよい。
【０１３５】
［第二の修正例］
上述の実施形態に於いては、目標増圧抑制勾配の標準値ΔＰif0は従来の制動力制御装置の場合に於ける非アンチスキッド制御側の前輪の制動圧の標準的な増圧抑制勾配よりも大きい値である。
【０１３６】
しかし車両が実質的に直進状態にある場合について図１９に示されている如く、目標増圧抑制勾配の標準値ΔＰif0は従来の制動力制御装置の場合に於ける前輪の制動圧の標準的な増圧抑制勾配と同一であってもよい。
【０１３７】
尚第一及び第二の修正例が組み合わされることにより、目標減圧量の標準値Ｐdf0及び目標増圧抑制勾配の標準値ΔＰif0がそれぞれ従来の制動力制御装置の場合に於ける標準的な値と同一であってもよい。
【０１３８】
［第三の修正例］
上述の実施形態に於いては、左右前輪の一方に於いてアンチスキッド制御が開始されると、左右後輪の制動圧は増圧が抑制されるだけでなく、互いに同一の値に制御されるようになっている。
【０１３９】
しかし非アンチスキッド制御側の後輪の制動圧がアンチスキッド制御側の後輪の制動圧よりも低くなるよう、左右後輪の制動圧が互いに異なる値に制御されるよう修正されてもよい。この第三の修正例によれば、上述の実施形態の場合よりも車両に作用するヨーモーメントＭyを更に小さくすることができる。尚左右前輪の一方に於いてアンチスキッド制御が開始された直後の左右後輪の制動圧の最大の差は例えば目標減圧量Ｐdfが大きいほど大きくなるよう目標減圧量Ｐdfに応じて可変設定されてもよい。
【０１４０】
また第三の修正例の場合には、左右後輪の制動圧の相違量が時間の経過と共に漸次減少するよう制御され、これにより左右後輪の制動圧の相違に起因してヨーモーメントＭyとは逆方向のヨーモーメントが車両に作用することが防止されることが好ましい。図２０は車両が実質的に直進状態にある場合についてこの制御が行われる場合に於ける各車輪の制動圧の変化の一例を示している。
【０１４１】
以上に於いては本発明を特定の実施形態及び修正例について詳細に説明したが、本発明は上述の実施形態及び修正例に限定されるものではなく、本発明の範囲内にて他の種々の実施形態が可能であることは当業者にとって明らかであろう。
【０１４２】
例えば上述の実施形態に於いては、電子制御装置３０によりステップ２００に於いて走行路がスプリットμ路であるか否かの判別が行われるようになっている。しかしこの判別は他の装置によって実行され、その判定結果が電子制御装置３０に入力されるよう修正されてもよい。
【０１４３】
また上述の実施形態に於いては、制動圧の目標減圧量Ｐdf、Ｐdr及び制動圧の目標増圧抑制勾配ΔＰif、ΔＰirは車両の横加速度Ｇyの絶対値に基づいて可変設定される。しかし制動圧の目標減圧量や目標増圧抑制勾配は車両の旋回横力の大きさに基づいて可変設定されればよいので、例えば車両のヨーレートと車速との積に基づいて可変設定されてもよい。
【０１４４】
また上述の実施形態に於いては、上述の（４−２）の場合には左右後輪の制動圧は減圧されないが、上述の（４−２）の場合にも左右後輪の制動圧が上述の（４−３）の場合よりも小さい減圧量にて減圧されてもよい。
【０１４５】
また上述の実施形態に於いては、上述の（４−５）の場合、即ちアンチスキッド制御側の前輪の制動圧が継続的に増加する場合には、左右前輪の制動圧の偏差の大きさが基準値Ｐ0よりも小さくなると、左右前輪の制動圧が互いに同一の増圧勾配にて増圧される。しかしこの制御は省略されてもよい。
【０１４６】
また上述の実施形態に於いては、上述の（４−６）の場合、即ち前輪のアンチスキッド制御が終了する場合には、左右後輪の制動圧が目標増圧抑制勾配ΔＰirよりも高い予め設定された増圧勾配にて所定の時間に亘り増圧される。しかし左右後輪の制動圧の増圧は左右後輪の制動圧がマスタシリンダ圧力Ｐmに対応する圧力になるまで、又はマスタシリンダ圧力Ｐm及び制動力の前後輪配分により定まる圧力になるまで、継続されるよう修正されてもよい。
【０１４７】
また上述の実施形態に於いては、各車輪の制動力はホイールシリンダの圧力が制御されることにより制御されるようになっている。しかし本発明の制動力制御装置は各車輪の制動力が電磁式に制御される車両に適用されてもよい。
【符号の説明】
【０１４８】
１０…車両、２０…油圧回路、２４FL〜２４RR…ホイールシリンダ、２６…ブレーキペダル、２８…マスタシリンダ、３０…電子制御装置、３２FL〜３２RR…車輪速度センサ、３４２FL〜３４RR…圧力センサ、３６…圧力センサ、３８…前後加速度センサ、４０…横加速度センサ、１００…制動力制御装置、１１０…制動装置
【図１】
0005447447.tif 000002
【図２】
0005447447.tif 000003
【図３】
0005447447.tif 000004
【図４】
0005447447.tif 000005
【図５】
0005447447.tif 000006
【図６】
0005447447.tif 000007
【図７】
0005447447.tif 000008
【図８】
0005447447.tif 000009
【図９】
0005447447.tif 000010
【図１０】
0005447447.tif 000011
【図１１】
0005447447.tif 000012
【図１２】
0005447447.tif 000013
【図１３】
0005447447.tif 000014
【図１４】
0005447447.tif 000015
【図１５】
0005447447.tif 000016
【図１６】
0005447447.tif 000017
【図１７】
0005447447.tif 000018
【図１８】
0005447447.tif 000019
【図１９】
0005447447.tif 000020
【図２０】
0005447447.tif 000021